(57)【要約】【課題】食べる真似遊びができ、かつ、ハンドパペット使用後に、ハンドパペットと共に使用した物を、遊びながら自然に収納することができ、お片付けの習慣を身につけながら使用した物を場所を取らずに確実に収納することができるハンドパペットを提供すること。【解決手段】ハンドパペット１は、手指を挿入できる袋状のハンドパペット本体２と、ハンドパペット本体２の先頭部に形成され、上口３ａ及び下口３ｂの口奥が開口する口部３と、口部３の上口３ａ端面に沿って接着又は縫合され、背面に口部３全体を収容可能な収納部５を形成する頭部４とを備え、ハンドパペット１の収納時には、頭部４は、口部３の上口３ａ端面（周縁）を起点とし、上口３ａ端面（周縁）を包み込むように、第１の面４ａの中程あたりから頭部４の頂上を外方に折り曲げてリバースされる。【選択図】図１
2010046268.tif 000002
【特許請求の範囲】
【請求項１】
手指の操作により上口と下口を開閉するハンドパペットであって、
手指を挿入できる袋状のハンドパペット本体と、
前記ハンドパペット本体の先頭部に形成され、前記上口及び下口の口奥が開口する口部と、
前記口部の上口端面に沿って接着又は縫合され、前記上口端面を支点にしてリバース可能な頭部とを備え、
前記頭部は、前記リバース時には、前記上口及び下口を覆うハンドパペット。
【請求項２】
前記頭部は、手指の操作時に表面となる第１の面と、前記第１の面の背面にあって、前記頭部がリバースされて表面となる第２の面とを有し、
前記第１の面の図柄と前記第２の面の図柄とが異なる請求項１記載のハンドパペット。
【請求項３】
前記ハンドパペット本体は、手指を挿入する開口部の周縁に絞り部を有する請求項１記載のハンドパペット。
【発明の詳細な説明】
【技術分野】
【０００１】
本発明は、手や指で操作して幼児等を楽しませるためのハンドパペットに関し、特に、手指を動作させることによって口部が開閉するハンドパペットに関する。
【背景技術】
【０００２】
手指によって口部が開閉するハンドパペットは、手指の力を加減することによって様々な口部を形づくり幼児等を楽しませることができる。
【０００３】
特許文献１には、先端部に頭を有する動物を模した袋状の形態を有しており、手及び指で操作して動物に動きを与えるハンドパペットが開示されている。
【０００４】
また、特許文献２には、ハンドパペットの口部奥に物を入れるための入り口を設けて、ハンドパペットに食べさせる真似遊びができるハンドパペットが開示されている。
【０００５】
また、特許文献３には、袋状の形態を有するハンドパペットの開口縁に沿って紐を配置し、この紐を引出すことによって開口縁を絞る巾着兼用ハンドパペットが開示されている。特許文献３記載の巾着兼用ハンドパペットは、ハンドパペットを巾着としても使用してハンドパペットの有効利用を図ろうとする。
【特許文献１】実用新案登録第３０７７２６４号公報
【特許文献２】実用新案登録第３１１５２７２号公報
【特許文献３】特開２００６−１０２０１７号公報
【発明の開示】
【発明が解決しようとする課題】
【０００６】
しかしながら、このような従来のハンドパペットにあっては、以下のような課題があった。
【０００７】
（１）特許文献１記載のハンドパペットでは、袋状のハンドパペットに手指を入れて、手指によって口部を開閉する操作を行うだけであり、ハンドパペット使用後の収納等のハンドパペット使用以外の用途は考慮されていない。ハンドパペットから手指を抜き出せば、外観上、動物やキャラクターを模した動きのない単なる袋となる。
【０００８】
（２）ハンドパペットは、口部の開閉動作によって幼児等を楽しませるものである。例えば、口部の開閉動作によって、あたかも動物やキャラクターを模したハンドパペットがおしゃべりしているかのような演技したり、またこのハンドパペットが何かを食べているような演技する。動物やキャラクターを模したハンドパペットが何かを食べているような演技をする場合、食べさせる対象となる積木などが用意される。
【０００９】
特許文献２記載のハンドパペットでは、積木など食べ物に見立てた物を、ハンドパペットの口先に置いて、ハンドパペットに食べさせる真似をして遊ぶことができる。この場合、ハンドパペットとしての使用が済むと、ハンドパペットと共に使用した積木も併せて片付けることになる。ところが、口部奥に物を入れるための入り口があるため、一旦収納した物がこの入り口からこぼれることがあり、ハンドパペット内へ物を収納するには適さない。
【００１０】
（３）袋状のハンドパペットでは、ハンドパペットとしての使用が済んだ場合、使用した積木などを内部に収納することも可能である。また、特許文献３記載の巾着兼用ハンドパペットでは、巾着構造となっているためより収納がしやすいと考えられる。しかし、特許文献３記載の巾着兼用ハンドパペットは、特許文献２記載のハンドパペットのように、口部奥に物を入れるための入り口がないため、食べて飲み込むまでの真似遊びはできない。
【００１１】
このように、従来のハンドパペットは、手指によって口部を開閉し、食べて飲み込むまでの真似遊びができるハンドパペットか、あるいは、袋状のハンドパペットの形状を活かした巾着兼用ハンドパペットのいずれかである。
【００１２】
このため、食べる真似遊びができるハンドパペットで、収納を考慮したものはない。また、収納を考慮した巾着兼用ハンドパペットにあっては、ハンドパペットとしての使用と積木などの収納とは、まったく別個の作業となっている。
【００１３】
幼児等の生活習慣を教えるためには、ハンドパペットとしての使用とその後の収納、いわゆる「お片付け」に関連を持たせることが好ましい。つまりハンドパペットなどの玩具を使用した後は、「お片付け」をするという意識を自然に身につけることが生活習慣向上、延いては情操教育のために好ましいと考えられる。
【００１４】
本発明は、かかる点に鑑みてなされたもので、食べる真似遊びができ、かつ、ハンドパペット使用後に、ハンドパペットと共に使用した物を、遊びながら自然に収納することができ、お片付けの習慣を身につけながら使用した物を場所を取らずに確実に収納することができるハンドパペットを提供することを目的とする。
【課題を解決するための手段】
【００１５】
本発明のハンドパペットは、手指の操作により上口と下口を開閉するハンドパペットであって、手指を挿入できる袋状のハンドパペット本体と、前記ハンドパペット本体の先頭部に形成され、前記上口及び下口の口奥が開口する口部と、前記口部の上口端面に沿って接着又は縫合され、前記上口端面を支点にしてリバース可能な頭部とを備え、前記頭部は、前記リバース時には、前記上口及び下口を覆う構成を採る。
【発明の効果】
【００１６】
本発明によれば、上口及び下口の口奥が開口する口部と、口部の上口端面に沿って接着又は縫合され、上口端面を支点にしてリバース可能な頭部を有することにより、食べる真似遊びができ、かつ、ハンドパペット使用後に、ハンドパペットと共に使用した物を、遊びながら自然に収納することができ、お片付けの習慣を身につけながら使用した物を場所を取らずに確実に収納することができる。
【発明を実施するための最良の形態】
【００１７】
以下、本発明の実施の形態について、図面を用いて詳細に説明する。
【００１８】
図１乃至図３は、本発明の一実施の形態に係るハンドパペットの外観図であり、図１は、ハンドパペットの正面斜めから見た場合の斜視図、図２は、ハンドパペットの背面斜めから見た場合の斜視図、図３は、ハンドパペットの口部の操作を説明する斜視図である。本実施の形態のハンドパペットは、うさぎを模した形状のハンドパペットに適用した例である。
【００１９】
図１乃至図３において、ハンドパペット１は、手指を挿入できる袋状のハンドパペット本体２と、ハンドパペット本体２の先頭部に形成され、手指の操作により開閉する口部３と、口部３の上口３ａ端面に沿って接着又は縫合され、背面に口部３全体を収容可能な収納部５を形成する頭部４とを備えて構成される。
【００２０】
ハンドパペット本体２は、袋状の先頭部に口部３が形成され、手指を挿入する開口部の周縁には絞り部２ｂが形成される。絞り部２ｂは、ハンドパペット本体２に、物を収納したとき、ハンドパペット本体２から収納した物が飛び出し難くする。絞り部２ｂ内部には、手指を挿入したとき適度の締め付けとなるようにゴムなどの弾性部材が挿入されている。上記開口部には、物を収納したときの蓋となる紐状の蓋２ｃと、紐状の蓋２ｃの一端を通して係止させるスリット（切り目）２ｄとが形成される。紐状の蓋２ｃの幅は、スリット２ｄより幅広であるため紐状の蓋２ｃを、スリット２ｄに差し込むと開口部の蓋となり、絞り部２ｂと共に、物を収納した時の保持力を高めることができる。本実施の形態では、ハンドパペット１は、うさぎを模した形状であるため、紐状の蓋２ｃはうさぎの尻尾の形状としている。うさぎの尻尾の形状を表現しているので、うさぎの形状の頭部４と相まってデザイン的に調和が取れたものとなる。
【００２１】
口部３は、上口３ａと下口３ｂとからなり、上口３ａと下口３ｂの口の両端のみがハンドパペット本体２の端部２ａに取り付けられる。上口３ａ内部には、手指の一方（例えば、人指し指，中指，薬指，小指）が挿入され、下口３ｂ内部には、手指の他方（例えば、親指）が挿入され、手指の操作によって上口３ａと下口３ｂを上下に開閉することができる。なお、下口３ｂ内部には、挿入された指が側面にずれないようにする仕切り３ｄが設けられている。また、口部３の口奥は、接合されずに開口部３ｃ（図３参照）を形成している。開口部３ｃは、ハンドパペット本体２内部に連通する。口部３の口奥に開口部３ｃを形成することにより、積木など食べ物に見立てた物を、上口３ａと下口３ｂで掴んでハンドパペット本体２内部に取り込むことができ、あたかもハンドパペット１に食べさせたかのような真似遊びができるようになる。幼児等は、ハンドパペット１に食べられた物が、口部３から消えてしまうので、ハンドパペット１が本当に食べてしまったかのような興味を持って見ることができる。食事の大切さや薬を飲むことを楽しく教えることができる。
【００２２】
頭部４は、口部３の上口３ａ端面全体とハンドパペット本体２の端部２ａのみに接着又は縫合され、その他の部分は接着又は縫合されない。このため、頭部４の頂上（うさぎの形状の耳の部分）は、ハンドパペット本体２と離れた構造となっている。この頭部４の頂上から口部３の上口３ａ端面（周縁）全体で形成される空間部分が、ハンドパペット１の不使用時に口部３全体を収容可能な収納部となる。頭部４のこの空間部分を便宜上収納部５と呼ぶ。
【００２３】
頭部４は、ハンドパペット１の使用時に表面となる第１の面４ａ（図１参照）と、第１の面４ａの背面にあってハンドパペット１の不使用時にリバースされて表面となる第２の面４ｂ（後述する図８参照）の２つの面を有する。第１の面４ａ及び第２の面４ｂには、それぞれ異なる表情の顔の図柄がプリントされている。第１の面４ａは、ハンドパペット１の操作で使用されるため、明るく活動的な表情の顔の図柄を持ち、第２の面４ｂは、物の収納に使用されるため休息の表情の顔の図柄を持つ。ここで、第１の面４ａ及び第２の面４ｂの図柄を異ならせることで、ユーザはハンドパペット１が使用時の状態か不使用時の状態かを一目で知ることができる。
【００２４】
以下、上述のように構成されたハンドパペット１の使用方法について説明する。まず、ハンドパペット１の操作について述べる。
【００２５】
図３に示すように、ハンドパペット本体２の絞り部２ｂから手６を挿入し、上口３ａ内部に、指（人指し指，中指，薬指，小指）を、また下口３ｂ内部に親指を差し込む。ハンドパペット１は、親指と他の指とを互いに接近・離反させると、上口３ａと下口３ｂを上下に開閉することができる。幼児等は、ハンドパペット１の口部３のパクパクした動きに興味を惹かれるようになる。ハンドパペット１のパクパクした動きによって、楽しくお話しができるほか、積木など食べ物に見立てた物を食べさせる真似遊びを楽しむことができる。
【００２６】
図３は、積木で作られた食べ物に見立てた物をハンドパペット１に食べさせる使用例を表している。ハンドパペット１は、積木で作られた魚１０、パン１１、すいか１２を食べる真似遊びをすることができる。また、魚１０、パン１１、すいか１２は、積木で作られた包丁１３と、ボール紙からなるまな板１４を使って、切る動作の真似遊びをすることができる。魚１０、パン１１、すいか１２は、真似遊びで切れるようにあらかじめ切れた複数の部分からなり、各部の端面に貼り付けられたマジックテープ（登録商標）１５により着脱自在に係止される。また、まな板１４には、食材の形（ここでは魚の形）を形成することで、幼児等は食材を置く遊びも楽しむことができる。
【００２７】
幼児等は、まな板１４上に、魚１０、パン１１、又はすいか１２を置き、包丁１３を使って切る動作して楽しく遊ぶ。また、ハンドパペット１を使用する人は、ハンドパペット１を使って、切られた魚１０、パン１１、又はすいか１２を食べる真似遊びをして幼児等を楽しませる。幼児等は、ハンドパペット１に食べられた物が、口部３から消えてしまうので、ハンドパペット１が本当に食べてしまったかのような興味を持って見ることができる。
【００２８】
次に、ハンドパペット１の収納方法について述べる。
【００２９】
本実施の形態のハンドパペット１は、単なるハンドパペットとしての使用、またハンドパペットへの物の収納そのものにあるのではなく、ハンドパペット１を通じて幼児等に良い生活習慣を自然に習得させることにある。すなわち、ハンドパペット１を通じて「食べて」→「ねんね」、また「食べて」→「お片付け」の生活要素を自然に身につけさせることにある。このため、ハンドパペット１は、ハンドパペット１の使用後、一連の関連操作により収納状態に移行する。
【００３０】
図４乃至図９は、ハンドパペット１の収納方法を説明する図である。
【００３１】
〔ハンドパペット１の使用直後〕
図４は、ハンドパペット１の使用直後の状態を示している。ハンドパペット１使用後は、ハンドパペット本体２の絞り部２ｂから手６（図３参照）が引き抜かれる。これにより、ハンドパペット１は平板となる。ハンドパペット１の口部３は閉じた状態となり、頭部４はハンドパペット本体２上に寝た状態となる。
【００３２】
図５以降、収納動作を順次説明する。
【００３３】
〔収納手順１〕
図５は、ハンドパペット１の収納手順１の状態を示している。収納手順１では、頭部４の頂上（うさぎの形状の耳の部分）部分を手で持ち、口部３の上口３ａ端面（周縁）を起点とし、この上口３ａ端面（周縁）を包み込むように、第１の面４ａの中程あたりから頭部４の頂上を外方に折り曲げる。
【００３４】
〔収納手順２〕
図６は、ハンドパペット１の収納手順２の状態を示している。収納手順１の動作が更に進むと収納手順２となる。収納手順２では、頭部４の頂上を更に外方に周回させるように折り曲げる。これは、口部３の上口３ａ端面（周縁）を起点とする、頭部４のリバース動作である。これにより、第１の面４ａは隠れていく一方、第１の面４ａの背面にあって、ハンドパペット１の使用時に隠れていた第２の面４ｂの一部が次第に露出してくる。
【００３５】
〔収納手順３〕
図７は、ハンドパペット１の収納手順３の状態を示している。収納手順２の動作が更に進むと収納手順３となる。収納手順３では、第１の面４ａは、リバースされて第２の面４ｂの背面に完全に隠され、替わって第２の面４ｂが全面に現われる。第２の面４ｂは、うさぎの「おねんねの顔」で、使用後のお休みとお片付けをイメージさせる。図７では、下口３ｂを示しているが、実際にはこの下口３ｂも、リバース動作に併せて、頭部４の頂上から口部３の上口３ａ端面（周縁）全体で形成される空間部分である収納部５に収容される。これにより、上口３ａと下口３ｂは合わさった状態で収納部５に収容される。上述したように、頭部４は、口部３の上口３ａ端面（周縁）全体と接着又は縫合されている。このため、上口３ａと下口３ｂは合わさった状態で収納部５に収容されると、ハンドパペット本体２の頭部４側は閉じた袋形状となり、物を収納することが可能になる。
【００３６】
〔収納手順４〕
図８は、ハンドパペット本体２をひっくり返した収納手順４の状態を示している。図９は、図８のハンドパペット本体２を斜め背面から見た斜視図である。収納手順４で、いつでも、物を収納可能な状態になる。
【００３７】
図８及び図９に示すように、ハンドパペット本体２の頭部４側は閉じた袋形状となっているため、絞り部２ｂを介してハンドパペット本体２内部に、物を収容することができる。ハンドパペット１で、図３に示す積木の食材を食べさせる真似遊びをした後は、図３に示す積木などが収納される。
【００３８】
以上詳細に説明したように、本実施の形態のハンドパペット１は、手指を挿入できる袋状のハンドパペット本体２と、ハンドパペット本体２の先頭部に形成され、上口３ａ及び下口３ｂの口奥が開口する口部３と、口部３の上口３ａ端面に沿って接着又は縫合され、背面に口部３全体を収容可能な収納部５を形成する頭部４とを備え、ハンドパペット１の収納時には、頭部４は、口部３の上口３ａ端面（周縁）を起点とし、上口３ａ端面（周縁）を包み込むように、第１の面４ａの中程あたりから頭部４の頂上を外方に折り曲げてリバースされる。これにより、ハンドパペット１の使用時に隠れていた第２の面４ｂ（うさぎの「おねんねの顔」）が露出するとともに、ハンドパペット本体２の頭部４側は閉じた袋形状となり、絞り部２ｂを介してハンドパペット本体２内部に、物を収容することができる。収納時には、ハンドパペット本体２の頭部４側は閉じた袋形状となっているため、口部３の口奥に開口部３ｃを有する構造でありながら、物がこぼれることがなく、確実な収納を図ることができる。
【００３９】
特に、本実施の形態のハンドパペット１では、ハンドパペット１としての使用と、使用後の積木などの収納とが、一連の流れの中で連続して行われるといういままでにない特有の効果を有する。
【００４０】
従来例では、ハンドパペットとしての使用方法のみが考慮されるか、単に袋状の形態を有するハンドパペットを巾着として流用するかだけであり、ハンドパペット１を通じて生活要素を養おうとする発想がない。本実施の形態の場合、ハンドパペット１を通じて「食べて」→「ねんね」、また「食べて」→「お片付け」の生活要素を自然に身につけさせることができる。
【００４１】
食べる真似遊びができ、かつ、ハンドパペット１使用後に、ハンドパペット１と共に使用した物を、遊びながら自然に収納することができ、お片付けの習慣を身につけながら使用した物を場所を取らずに収納することができる。
【００４２】
以上の説明は本発明の好適な実施の形態の例証であり、本発明の範囲はこれに限定されない。上記ハンドパペットの構成及び動作についての説明は一例であり、本発明の範囲においてこれらの例に対する様々な変更や追加が可能である。
【００４３】
また、本実施の形態では、ハンドパペットという名称を用いたが、これは説明の便宜上であり、パペット、指人形等であってもよいことは勿論である。
【００４４】
さらに、上記ハンドパペットを構成する各部、例えば動物又はキャラクターの種類などはどのようなものでもよい。
【図面の簡単な説明】
【００４５】
【図１】本発明の一実施の形態に係るハンドパペットの外観図
【図２】本実施の形態に係るハンドパペットの背面斜めから見た場合の斜視図
【図３】本実施の形態に係るハンドパペットの口部の操作を説明する斜視図
【図４】本実施の形態に係るハンドパペットの収納方法を説明する図
【図５】本実施の形態に係るハンドパペットの収納方法を説明する図
【図６】本実施の形態に係るハンドパペットの収納方法を説明する図
【図７】本実施の形態に係るハンドパペットの収納方法を説明する図
【図８】本実施の形態に係るハンドパペットの収納方法を説明する図
【図９】本実施の形態に係るハンドパペットの収納方法を説明する図
【符号の説明】
【００４６】
１  ハンドパペット
２  ハンドパペット本体
２ｂ  絞り部
２ｃ  蓋
２ｄ  スリット（切り目）
３  口部
３ａ  上口
３ｂ  下口
３ｃ  開口部
４  頭部
４ａ  第１の面
４ｂ  第２の面
５  収納部
【図１】
2010046268.tif 000003
【図２】
2010046268.tif 000004
【図３】
2010046268.tif 000005
【図４】
2010046268.tif 000006
【図５】
2010046268.tif 000007
【図６】
2010046268.tif 000008
【図７】
2010046268.tif 000009
【図８】
2010046268.tif 000010
【図９】
2010046268.tif 000011